(57)【要約】【課題】装置全体の消費電力を従来よりも低減しつつ、射出する色光の射出面内での輝度ばらつきを抑えることが可能な色票装置を提供する。【解決手段】各ライトボックス２１に、反射シート２１４および遮蔽板２１２を設ける。ライトボックス２１内の単色ＬＥＤ２１１から発せられた色光が拡散しつつ、射出面Ｓ１から射出される。これにより、色光の射出面Ｓ１内での輝度ばらつきが抑えられる。また、各ライトボックス２１から射出される色光の波長領域が、互いに異なる色に対応するようにする。複数の色のうちの一の色に対応する波長領域の色光を射出させる際に、対応する色光を発する単色ＬＥＤ２１１だけが点灯すれば済むようになる。これにより、装置全体の消費電力が低減する。【選択図】図５
2009031245.tif 000002
【特許請求の範囲】
【請求項１】
複数の色の色基準を示すための色票装置であって、
前記複数の色に対応する波長領域の色光を射出する複数の第１発光部を備え、
前記第１発光部は、
射出面を有する筐体と、
前記筐体内で前記射出面に対して対向配置され、前記色光を発する単色光源と、
前記筐体内で前記射出面以外の端面上に形成された反射シートと、
前記単色光源と前記射出面との間で射出面に対して対向配置され、前記単色光源から発せられた色光を遮蔽する遮蔽板と
を有し、
各第１発光部から射出される色光の波長領域が、互いに異なる色に対応している
ことを特徴とする色票装置。
【請求項２】
各第１発光部から射出される色光の前記射出面内での輝度ばらつきが、５％以下である
ことを特徴とする請求項１に記載の色票装置。
【請求項３】
前記筐体の前記射出面上に、前記色光を拡散する拡散板を備えた
ことを特徴とする請求項１に記載の色票装置。
【請求項４】
各第１発光部から射出される色光をそれぞれのスペクトル幅を狭めつつ透過させる波長選択フィルタを備えた
ことを特徴とする請求項１に記載の色票装置。
【請求項５】
前記複数の色として、少なくとも、赤（Ｒ）、緑（Ｇ）、青（Ｂ）、シアン（Ｃ）、マゼンダ（Ｍ）および黄色（Ｙ）を含む
ことを特徴とする請求項１に記載の色票装置。
【請求項６】
前記単色光源が、単色発光ダイオードである
ことを特徴とする請求項１に記載の色票装置。
【請求項７】
同一の色に対応する波長領域において複数の輝度レベルの階調光を射出する複数の第２発光部をさらに備え、
前記第２発光部は、
前記筐体と、
前記筐体内で前記射出面に対して対向配置され、前記階調光を発する光源と、
前記反射シートと、
前記光源と前記射出面との間で射出面に対して対向配置され、前記光源から発せられた階調光を遮蔽する遮蔽板と、
前記光源から発せられた階調光の輝度レベルを調整するための輝度調整フィルタと
を有し、
各第２発光部から射出される階調光の輝度レベルが、互いに異なっている
ことを特徴とする請求項１に記載の色票装置。
【請求項８】
前記輝度調整フィルタの厚みが、前記第２発光部ごとに互いに異なっている
ことを特徴とする請求項７に記載の色票装置。
【請求項９】
前記輝度調整フィルタが複数層の単位フィルタにより構成され、
前記単位フィルタの層数が、前記第２発光部ごとに互いに異なっている
ことを特徴とする請求項７に記載の色票装置。
【発明の詳細な説明】
【技術分野】
【０００１】
本発明は、色データの補正処理に用いられ、複数の色の色基準を示すための色票装置に関する。
【背景技術】
【０００２】
従来より、複数の色の色基準を示すための色票としての電子色票装置が開発され、そのような電子色票装置を用いた色データの補正処理が行われている。ただし、従来は、複数の色を出力する側（表示装置）の色再現範囲が狭かった（例えば、ＩＥＣ（International Electro−technical Commission）により規定されるｓＲＧＢの色域内に限られていた）ことなどから、それに対応して電子色票装置の色再現範囲も狭いものであった。
【０００３】
しかし最近では、ｓＲＧＢの色域を超える色再現範囲の表示装置も開発されつつあることから、そのような広色再現範囲の表示装置等に用いる広色再現範囲の電子色票装置の開発が望まれている。
【０００４】
そこで、例えば特許文献１，２には、多原色の発光ダイオード（ＬＥＤ；Light Emitting Diode）光源を用いることにより、色再現範囲の広範化を可能とした色票装置が提案されている。
【０００５】
【特許文献１】特許３７９０６９３号公報
【特許文献２】特開２００３−１４３４１７号公報
【発明の開示】
【発明が解決しようとする課題】
【０００６】
上記特許文献１，２では、多原色のＬＥＤ光源から発せられた各色光を光路内で互いに混合させると共に、各色光の混合比率を変化させることにより、任意の色に対応する波長領域の色光を射出させるようにしている。
【０００７】
ところが、このように複数のＬＥＤ光源からの色光を混合させる場合、複数のＬＥＤ光源が同時に点灯している必要があることから、ある色に対応する波長領域の色光を得ようとした場合に、装置全体としての消費電力が増大してしまうことになる。また、上記構造では発光面が一つしかないため、同時に複数の色を出すことができなかった。
【０００８】
なお、このような問題とは別に、ＬＥＤ等の点光源を用いて色票装置を構成した場合、光源の指向性などに起因して、射出面内で輝度ばらつき等が生じてしまっていた。
【０００９】
本発明はかかる問題点に鑑みてなされたもので、その目的は、装置全体の消費電力を従来よりも低減しつつ、射出する色光の射出面内での輝度ばらつきを抑えることが可能な色票装置を提供することにある。
【課題を解決するための手段】
【００１０】
本発明の色票装置は、複数の色の色基準を示すためのものであって、これら複数の色に対応する波長領域の色光を射出する複数の第１発光部を備えたものである。ここで、各第１発光部は、射出面を有する筐体と、この筐体内で射出面に対して対向配置され、上記色光を発する単色光源と、筐体内で射出面以外の端面上に形成された反射シートと、単色光源と射出面との間で射出面に対して対向配置され、単色光源から発せられた色光を遮蔽する遮蔽板とを有している。また、各第１発光部から射出される色光の波長領域は、互いに異なる色に対応している。
【００１１】
本発明の色票装置では、各第１発光部において、単色光源から発せられた色光は、遮蔽板により反射および拡散されたのち、射出面以外の端面で反射シートにより反射され、射出面から射出する。すなわち、遮蔽板が設けられていない従来とは異なり、色光が拡散されつつ射出面から射出する。また、各第１発光部から射出される色光の波長領域が互いに異なる色に対応しているため、上記複数の色のうちの一の色に対応する波長領域の色光を射出させる際に、従来とは異なり、複数の単色光源のうちの対応する色光を発する単色光源だけが点灯する。
【００１２】
本発明の色票装置では、同一の色に対応する波長領域において、複数の輝度レベルの階調光を射出する複数の第２発光部をさらに備えるようにしてもよい。ここで、この第２発光部は、上記筐体と、この筐体内で上記射出面に対して対向配置され、上記階調光を発する光源と、上記反射シートと、上記光源と射出面との間で射出面に対して対向配置され、光源から発せられた階調光を遮蔽する遮蔽板と、光源から発せられた階調光の輝度レベルを調整するための輝度調整フィルタとを有している。また、各第２発光部から射出される階調光の輝度レベルは、互いに異なっている。このように構成した場合、各第２発光部において、光源から発せられた階調光は、遮蔽板により反射および拡散されたのち、射出面以外の端面で反射シートにより反射され、射出面から射出する。この際、輝度調整フィルタによって、階調光の輝度レベルが調整される。また、各第２発光部から射出される階調光の輝度レベルが互いに異なっているため、上記第１発光部が複数の色の色基準として機能するのに対し、第２発光部が、複数の輝度レベルの階調基準として機能するようになる。
【発明の効果】
【００１３】
本発明の色票装置によれば、各第１発光部に反射シートおよび遮蔽板を設けるようにしたので、従来とは異なり、第１発光部内の単色光源から発せられた色光を拡散させつつ射出面から射出させることができ、色光の射出面内での輝度ばらつきを抑えることができる。また、各第１発光部から射出される色光の波長領域が互いに異なる色に対応するようにしたので、複数の色のうちの一の色に対応する波長領域の色光を射出させる際に、対応する色光を発する単色光源だけが点灯すれば済むようになり、従来と比べて装置全体の消費電力を低減することができる。よって、装置全体の消費電力を従来よりも低減しつつ、射出する色光の射出面内での輝度ばらつきを抑えることが可能となる。
【００１４】
特に、輝度調整フィルタを有する第２発光部を設けると共に、この輝度調整フィルタによって各第２発光部から射出される階調光の輝度レベルを互いに異ならせるようにした場合には、上記第１発光部を複数の色の色基準として機能させると共に、第２発光部を複数の輝度レベルの階調基準として機能させることができる。よって、色再現特性の評価に加え、白黒階調特性の評価にも適用することが可能となる。
【発明を実施するための最良の形態】
【００１５】
以下、本発明を実施するための最良の形態（以下、単に実施の形態という。）について、図面を参照して詳細に説明する。
【００１６】
図１は本発明の一実施の形態に係る色票装置（色票装置２）を用いた色データ補正システム１の全体ブロック構成を表すものである。この色データ補正システム１は、色票装置２と、入力部１１と、出力部１２とを備えている。
【００１７】
色票装置２は、複数の色の色基準を示すためのものであり、これら複数の色に対応する波長領域の複数の色光が射出されるようになっている。なお、この色票装置２の詳細な構成については、後述する。
【００１８】
入力部１１は、色票装置２から射出される各色光を受光して（色票装置２内の発光部分を撮像して）対応するＲＧＢデータＤ１を出力するカメラ１１１と、色票装置２から射出される各色光に対応する複数の色基準のＲ’Ｇ’Ｂ’データ（色票データＤ０）を予め記憶する色票データ記憶部１１２と、ＲＧＢデータＤ１および色票データＤ０に基づいて所定の場合にＲＧＢデータＤ１の色データの補正処理を行い、補正処理後のデータ（Ｙ’Ｃ’データＤ２）を出力する映像信号処理部１１３とを有している。なお、この映像信号処理部１１３の詳細については、後述する。
【００１９】
出力部１２は、色票データ記憶部１１２と同様に色票データＤ０を予め記憶する色票データ記憶部１２２と、映像信号処理部１１３から供給されるＹ’Ｃ’データＤ２に対して所定の映像信号処理を行い、処理後のデータ（ＲＧＢデータＤ３）を出力する映像信号処理部１２３と、ＲＧＢデータＤ３に基づき、色票装置２の色基準の映像Ｐ１を表示する表示装置（例えば、液晶表示装置）１２４と、この表示装置１２４に表示されている色基準の映像Ｐ１を撮像して（各色基準に対応する表示光を受光して）対応するＲＧＢデータＤ４を出力するカメラ１２１とを有している。また、映像信号処理部１２３は、このＲＧＢデータＤ４および色票データＤ０に基づいて、所定の場合にＹ’Ｃ’データＤ２からＲＧＢデータＤ３への補正処理の際の補正係数を変更させる機能も有している。なお、この映像信号処理部１２３の詳細については、後述する。
【００２０】
次に、図２〜図６を参照して、本実施の形態の色票装置２の詳細構成について説明する。ここで図２（Ａ）は、色票装置２の正面構成例を表したものであり、図２（Ｂ）は、色票装置２の側面構成例を表したものである。また、図５は、この色票装置２内の発光部（後述するライトボックス２１）の斜視構成例を表したものであり、図６は、色票装置２の断面（Ｘ−Ｙ断面）構成例を表したものである。
【００２１】
この色票装置２では、図２（Ａ）に示したように、色基準となる複数の色に対応する波長領域の色光を射出する複数（この場合、１２個）のライトボックス２１が、マトリクス状（この場合、３行×４列のマトリクス状）に配列されている。また、各ライトボックス２１内にはそれぞれ、例えば図２（Ｂ）に示したライトボックス２１Ａ〜２１Ｃのように、各色光の発光源である単色ＬＥＤ２１１Ａ〜２１１Ｃが設けられている。各ライトボックス２１Ａ〜２１Ｃの一端は、接続線Ｌ１を介して直流電源２３の正極出力端子（“＋”）に接続され、各ライトボックス２１Ａ〜２１Ｃの他端は、定電流ダイオード２２Ａ〜２２Ｃおよび配線Ｌ２を介して直流電源２３の接地（“ＧＮＤ”）に接続されている。このような構成により、直流電源２３から供給される直流電圧に基づいて各単色ＬＥＤ２１１Ａ〜２１１Ｃが点灯し、各色光の射出が可能となっている。なお、このライトボックス２１が、本発明における「第１発光部」の一具体例に対応する。
【００２２】
各ライトボックス２１から射出される色光の波長領域は、例えば図３（Ａ）に示した色度図（ｕ’−ｘ’色度図）や、図４に示した発光スペクトル特性から分かるように、互いに異なる色基準の色に対応したものとなっている。また、図３（Ａ）から分かるように、各色光の色度点は、一部を除き、ｓＲＧＢ色域３０ｓの色域外に位置している。すなわち、例えば図３（Ｂ）に示したように、従来の色票装置のライトボックスから射出される各色光の色度点の位置（全ての色度点がｓＲＧＢ色域３０ｓの色域内に位置している）とは異なり、そのほとんどがｓＲＧＢ色域の色域外に位置している。これにより、色票装置２全体として、従来よりも射出される色光の色域が広くなっている。なお、図３（Ａ），図３（Ｂ）において、符号３０Ｃで示した色域は、ＣＩＥ（Commission Internationale d'Eclairage）色域を表している。
【００２３】
各ライトボックス２１では、例えば図５および図６に示したように、矩形状（長方形または正方形）の端面を有する筐体２１０内に、単色ＬＥＤ（単色光源）２１１および遮蔽板２１２が収容された構成となっている。単色ＬＥＤ２１１は、筐体２１０内の一端面（ここでは、端面Ｓ０）側において、後述する射出面Ｓ１に対向配置されている。また、筐体２１０の射出面Ｓ１（各色光が射出する端面であり、端面Ｓ０と対向している）上には、拡散板２１３が一様に形成されている一方、筐体２１０内の射出面Ｓ１以外の端面上には、反射シート２１４が一様に形成されている。
【００２４】
遮蔽板２１２は、単色ＬＥＤ２１１と射出面Ｓ１との間で、射出面Ｓ１に対して対向配置されている。この遮蔽板２１２は、単色ＬＥＤ２１１から発せられた色光を反射および拡散させることにより、色光の射出面Ｓ１方向への進行を遮蔽するものであり、例えば白色のポリプロピレン（ＰＰ）などの材料により構成される。なお、遮蔽板２１２の厚みは、１００〜５００μｍ程度である。
【００２５】
反射シート２１４は、遮蔽板２１２により反射および拡散された色光を再び反射させて射出面Ｓ１の方向へと導くためのものであり、例えば白色ポリエチレンテレフタレート（ＰＥＴ）などの材料により構成される。なお、反射シート２１４の厚みは、１００〜５００μｍ程度である。
【００２６】
拡散板２１３は、射出面Ｓ１へ到達した色光を拡散して射出させるためのものであり、例えばポリカーボネートなどの材料により構成される。この拡散板２１２の厚みは、３〜５ｍｍ程度である。これにより、色光が拡散されて各ライトボックス２１から射出されるため、均一光となる。
【００２７】
次に、以上のような構成の色データ補正システム１の全体動作（色データ補正処理）について説明する。ここで、図７は、入力部１１における色データ補正処理を流れ図で表したものであり、図８は、出力部１２における色データ補正処理を流れ図で表したものである。
【００２８】
最初に、入力部１１では、まず、色票装置２の各ライトボックス２１がカメラ１１１により撮像される（各ライトボックス２１から射出される色光がカメラ１１１により受光される）と、対応するＲＧＢデータＤ１がカメラ１１１から映像信号処理部１１３へ供給される（ＲＧＢデータＤ１が取得される）（図７のステップＳ１０１）。
【００２９】
次に、映像信号処理部１１３では、供給されたＲＧＢデータＤ１がＲ’Ｇ’Ｂ’データＤ１’（図１中に図示せず）へと変換され（ステップＳ１０２）、この変換後のＲ’Ｇ’Ｂ’データＤ１’が、色票データ記憶部１１２に記憶されている色票データＤ０と比較される（ステップＳ１０３）。具体的には、Ｒ’Ｇ’Ｂ’データＤ１’が色票データＤ０と一致するか否かが判定される（ステップＳ１０４）。
【００３０】
Ｒ’Ｇ’Ｂ’データＤ１’が色票データＤ０と一致すると判定された場合には（ステップＳ１０４：Ｙ）、映像信号処理部１１３は、Ｒ’Ｇ’Ｂ’データＤ１’をそのままＹ’Ｃ’データＤ２へと変換し（ステップＳ１０５）、変換後のＹ’Ｃ’データＤ２を出力部１２へと供給する（ステップＳ１０７）。
【００３１】
一方、Ｒ’Ｇ’Ｂ’データＤ１’が色票データＤ０と一致しないと判定された場合には（ステップＳ１０４：Ｎ）、映像信号処理部１１３は、Ｒ’Ｇ’Ｂ’データＤ１’を、色票データＤ０と一致するように補正をかけつつＹ’Ｃ’データＤ２へと変換し（ステップＳ１０６）、変換後のＹ’Ｃ’データＤ２を出力部１２へと供給する（ステップＳ１０７）。
【００３２】
このようにして入力部１１では、カメラ１１１により取得された各ライトボックス２１からの色光のデータ（色データ）が、予め記憶されている色票データＤ０の色データと一致することとなるように、色データの補正処理がなされる。
【００３３】
一方、出力部１２では、まず、映像信号処理部１２３が、入力部１１内の映像信号処理部１１３からＹ’Ｃ’データＤ２を取得すると（図８のステップＳ２０１）、映像信号処理部１２３は、このＹ’Ｃ’データＤ２をＲ’Ｇ’Ｂ’データＤ２’（図１中に図示せず）へと変換する（ステップＳ２０２）と共に、さらにこのＲ’Ｇ’Ｂ’データＤ２’をＲＧＢデータＤ３へと変換する（ステップＳ２０３）。
【００３４】
次に、このような変換後のＲＧＢデータＤ３は表示装置１２４へと供給され、このＲＧＢデータＤ３に基づく映像（色票装置２の色基準の映像Ｐ１）が表示装置１２４に表示される（ステップＳ２０４）。そしてこの映像Ｐ１はカメラ１２１によって撮像され（各色基準に対応する表示光がカメラ１２１によって受光され）、対応するＲＧＢデータＤ４が映像信号処理部１２３へ供給される（ＲＧＢデータＤ４が取得される）（ステップＳ２０５）。
【００３５】
次に、映像信号処理部１２３では、供給されたＲＧＢデータＤ４がＲ’Ｇ’Ｂ’データＤ４’（図１中に図示せず）へと変換され（ステップＳ２０６）、この変換後のＲ’Ｇ’Ｂ’データＤ４’が、色票データ記憶部１２２に記憶されている色票データＤ０と比較される（ステップＳ２０７）。具体的には、Ｒ’Ｇ’Ｂ’データＤ４’が色票データＤ０と一致するか否かが判定される（ステップＳ２０８）。
【００３６】
Ｒ’Ｇ’Ｂ’データＤ４’が色票データＤ０と一致すると判定された場合には（ステップＳ２０８：Ｙ）、映像信号処理部１２３は、Ｒ’Ｇ’Ｂ’データＤ２’からＹ’Ｃ’データＤ２への変換の際の係数を補正しないようにし、これにより色データの補正処理が終了となる。
【００３７】
一方、Ｒ’Ｇ’Ｂ’データＤ４’が色票データＤ０と一致しないと判定された場合には（ステップＳ２０８：Ｎ）、映像信号処理部１２３は、Ｒ’Ｇ’Ｂ’データＤ４’が色票データＤ０と一致するように、Ｒ’Ｇ’Ｂ’データＤ２’からＹ’Ｃ’データＤ２への変換の際の係数を補正する（ステップＳ２０９）。なお、この後はステップＳ２０３へと戻り、Ｒ’Ｇ’Ｂ’データＤ４’が色票データＤ０と一致するようになるまで、ステップＳ２０３〜ステップＳ２０９の処理を繰り返すことになる。
【００３８】
このようにして出力部１２では、カメラ１２１により取得された、表示装置１２４に表示中の色基準の映像Ｐ１の色データが、予め記憶されている色票データＤ０の色データと一致することとなるように、色データの補正処理がなされる。
【００３９】
ここで、本実施の形態の色票装置２では、各ライトボックス２１から射出される色光の波長領域が互いに異なる色に対応しているため、色基準となる複数の色のうちの一の色に対応する波長領域の色光を射出させる際に、従来とは異なり、複数の単色光源（単色ＬＥＤ２１１）のうちの対応する色光を発する単色光源だけが点灯する。これに対し、複数の単色ＬＥＤから発せられた各色光が混合されることにより任意の色に対応する波長領域の色光が得られるようになっている従来の色票装置では、複数の単色ＬＥＤが同時に点灯している必要があることから、色基準となる複数の色のうちの一の色に対応する波長領域の色光を得ようとした場合に、色票装置全体としての消費電力が増大してしまうことになる。
【００４０】
次に、図９および図１０を参照して、本実施の形態の色票装置２の各ライトボックス２１の作用について、比較例（ライトボックス内に遮蔽板が設けられていないもの）と比較しつつ説明する。ここで、図９（Ａ）は、比較例に係るライトボックス１０２における色光の光路を断面構成で表したものであり、図９（Ｂ）は、本実施の形態のライトボックス２１おける色光の光路を断面構成で表したものである。
【００４１】
図９（Ａ）に示した比較例に係るライトボックス１０２では、単色ＬＥＤ２１１から発せられた色光がある程度拡散し、この色光は反射シート２１４によって反射されつつ射出面Ｓ１０１へ到達し、射出光Ｌout102としてライトボックス１０２から射出される。ところが、単色ＬＥＤ２１１から発せられた色光の指向性等により、単色ＬＥＤ２１１から直進してそのまま射出面Ｓ１０１へと到達する色光の光量が大きいため、例えば図１０（Ａ）に示したように、射出面Ｓ１０１内において、射出光Ｌout102の輝度ばらつきが生じてしまう。
【００４２】
これに対し、図９（Ｂ）に示した本実施の形態のライトボックス２１では、単色ＬＥＤ２１１と射出面Ｓ１との間に遮蔽板２１２が設けられているため、単色ＬＥＤ２１１から発せられた色光は、遮蔽板２１２により反射および拡散されたのち、射出面Ｓ１以外の面で反射シート２１４により反射され、射出光Ｌout21として射出面Ｓ１から射出する。すなわち、遮蔽板２１２が設けられていない比較例とは異なり、色光が拡散されつつ射出面Ｓ１から射出する。したがって、例えば図１０（Ｂ）に示したように、射出面Ｓ１内において、射出光Ｌout21の輝度ばらつきが抑えられる。
【００４３】
ここで、図１１は、具体的な実施例および比較例に係る射出光（色光）Ｌout21，Ｌout1の輝度ばらつきの度合い（ΔＥ＊ａｂ）を評価する際の射出光Ｌout21，Ｌout102の輝度測定方法の一例を表したものである。具体的には、図１１（Ａ）に示したように、ライトボックス２１，１０２の射出面Ｓ１，Ｓ１０１から射出される色光Ｌout21，Ｌout102をカメラ１２１により受光する（測色する）と共に、射出面Ｓ１，Ｓ１０１における測色ポイントは、図１１（Ｂ）に示したような５点とした。また、表１は、実施例および比較例に係る各色光のΔＥ＊ａｂの値およびそれらの平均値（各色光のΔＥ＊ａｂの平均値）を表したものである。
【００４４】
【表１】
2009031245.tif 000003
【００４５】
表１により、ライトボックス２１内に遮蔽板２１２が設けられている実施例では、ライトボックス１０２内に遮蔽板が設けられていない比較例と比べ、各色光のΔＥ＊ａｂの値が小さくなっているため、各ライトボックスから射出される各色光の射出面内での輝度ばらつきが低減されていることが分かる。また、青（Blue）および緑（Green）において、そのようなばらつきの低減が顕著であることも分かる。これにより、各色光のΔＥ＊ａｂの平均値も、実施例では比較例と比べて小さくなり、各ライトボックスから射出される各色光の射出面内での輝度ばらつきが５％以下（具体的には、３．５％）となっていることが分かる。
【００４６】
以上のように本実施の形態では、各ライトボックス２１に反射シート２１４および遮蔽板２１２を設けるようにしたので、従来とは異なり、ライトボックス２１内の単色ＬＥＤ２１１から発せられた色光を拡散させつつ射出面Ｓ１から射出させることができ、色光の射出面Ｓ１内での輝度ばらつきを抑えることができる。また、各ライトボックス２１から射出される色光の波長領域が互いに異なる色に対応するようにしたので、複数の色のうちの一の色に対応する波長領域の色光を射出させる際に、対応する色光を発する単色ＬＥＤ２１１だけが点灯すれば済むようになり、従来と比べて装置全体の消費電力を低減することができる。よって、装置全体の消費電力を従来よりも低減しつつ、射出する色光の射出面内での輝度ばらつきを抑えることが可能となる。
【００４７】
また、筐体２１０の射出面Ｓ１上に、色光を拡散する拡散板２１３を設けるようにしたので、射出光Ｌout21が射出面Ｓ１から射出する際に、射出光Ｌout21をさらに拡散させることができる。よって、射出面Ｓ１内での輝度ばらつきをさらに抑えると共に、視野角特性も向上させることが可能となる。
【００４８】
［変形例１］
次に、本発明の色票装置の変形例１について説明する。なお、上記実施の形態における構成要素と同一のものには同一の符号を付し、適宜説明を省略する。
【００４９】
図１２は、本変形例に係る色票装置におけるライトボックス（ライトボックス２４）の断面構成を表したものである。このライトボックス２４は、上記実施の形態のライトボックス２１において、射出面Ｓ１における拡散板２１３上に、波長選択フィルタ２１５をさらに設けるようにしたものである。
【００５０】
波長選択フィルタ２１５は、例えば、高屈折率層と低屈折率層とが交互に積層された光学薄膜（図示せず）からなり、その場合には光学薄膜の最下層および最上層がいずれも高屈折率層により構成されるようになっている。また、波長選択フィルタ２１５における層構造は、例えば５層構造または９層構造などの奇数層構造あればよい。これら高屈折率層および低屈折率層はそれぞれ、ドライプロセスまたはウェットプロセスにより形成することができる。ドライプロセスの場合、例えばスパッタリング法または蒸着法により形成することができる。この場合、高屈折率層は、例えば、ＴｉＯ2（屈折率：２．３８）などのチタン酸化物、Ｎｂ2Ｏ5（屈折率：２．２８）などのニオビウム酸化物、またはＴａ2Ｏ5（屈折率：２．１０）などのタンタル酸化物からなる層を含むように構成され、低屈折率層は、例えば、ＳｉＯ2（屈折率：１．４６）などのシリコン酸化物、またはＭｇＦ2（屈折率：１．３８）などのフッ化マグネシウムからなる層を含むように構成される。一方、ウェットプロセスの場合、例えばスピンコーティング法またはディップコーティング法により形成することができる。この場合、高屈折率層および低屈折率層は、例えば、熱硬化樹脂または光硬化樹脂（例えば、紫外線硬化型）などの溶剤系・無溶剤系材料から構成される。具体的には、高屈折率層としては例えばＪＳＲ製オプスター（ＪＮ７１０２、屈折率：１．６８）を、低屈折率層としては例えばＪＳＲ製オプスター（ＪＮ７２１５、屈折率：１．４１）を用いることができる。
【００５１】
このような波長選択フィルタ２１５により、各ライトボックス２４から射出される色光は、それぞれのスペクトル幅を狭めつつ透過する。例えば図１３に示したようなスペクトル特性（赤色光スペクトルＬＲ０、緑色光スペクトルＬＧ０および青色光スペクトルＬＢ０）の各色光は、波長選択フィルタ２１５を通過すると、赤色光スペクトルＬＲ１、緑色光スペクトルＬＧ１および青色光スペクトルＬＢ１のように、それぞれのスペクトル幅が狭められる。これにより、例えば図１４に示した色度図（ｕ’−ｘ’色度図）のように、射出された赤色光、緑色光および青色光の色純度が高まり、それぞれの色度点（色度点３１Ｒ，３１Ｇ，３１Ｂ）が、従来と比べていずれも広色域のものとなる。
【００５２】
このようにして本変形例では、各ライトボックス２４において、射出面Ｓ１における拡散板２１３上に波長選択フィルタ２１５を設けるようにしたので、対応する単色ＬＥＤ２１１から発せられる各色光（赤色光、緑色光、青色光）を、それぞれのスペクトル幅を狭めて透過させることができ、各ライトボックス２４から出射される各色光の色純度を高めることができる。よって、各ライトボックス２４から出射される各色光を、従来と比べて広色域のものとすることが可能となる。
【００５３】
［変形例２］
次に、本発明の色票装置の変形例２について説明する。なお、上記実施の形態における構成要素と同一のものには同一の符号を付し、適宜説明を省略する。
【００５４】
図１５は、本変形例に係る色票装置（色票装置２Ａ）の正面構成を表したものである。この色票装置２Ａは、上記実施の形態の色票装置２において、色基準となる複数の色に対応する波長領域の色光を射出する複数（この場合、３行×４列＝１２個）のライトボックス２１に加え、同一の色（この場合、白〜灰色〜黒のグレイスケール）に対応する波長領域において複数の輝度レベルの階調光を射出する複数（この場合、１行×４列＝４個）のライトボックス２５（ライトボックス２５−１〜２５−４）を、ライトボックス２１の下方にさらに設けるようにしたものである。なお、このライトボックス２５が、本発明における「第２発光部」の一具体例に対応する。
【００５５】
図１６は、ライトボックス２５の断面構成を表したものである。このライトボックス２５は、上記実施の形態のライトボックス２１において、射出面Ｓ１における拡散板２１３上に、単色ＬＥＤ２１１から発せられた階調光の輝度レベルを調整するためのＮＤフィルタ２１６（輝度調整フィルタ）をさらに設けるようにしたものである。
【００５６】
ＮＤフィルタ２１６は、入射光を反射または吸収することによって減衰させることにより、波長特性（色度）を維持しつつ透過光の輝度レベルを調整するものである。また、この透過光の輝度レベルの調整は、例えばＮＤフィルタ２１６の厚みや、このＮＤフィルタ２１６における単位フィルタの層数によって可能となっている。したがって、本変形例のライトボックス２５−１〜２５−４では、ＮＤフィルタ２１６の厚みまたはＮＤフィルタ２１６における単位フィルタの層数が、互いに異なるように構成されている。
【００５７】
これにより、各ライトボックス２５−１〜２５−４から射出される階調光の輝度レベルは、例えば図１７（Ｄ），（Ｅ）に示した放射輝度特性や、図１８に示した発光スペクトル特性から分かるように、互いに異なるものとなっている。なお、輝度測定は、カメラ１１１側から入力したＲＧＢデータＤ１を色差データ（Ｙ’Ｃ’データＤ２）に変換した後、分光放射輝度計を使用して輝度（Ｙ）を波形モニターで測定することにより行った。また、白レベルの輝度が７００となるようにカメラ１１１側の絞りを調整した後に、各ライトボックス２５−１〜２５−４から射出される階調光の輝度レベルを測定した。
【００５８】
具体的には、図１７（Ａ）〜（Ｄ）は、図１７（Ｅ）に示した色票装置２Ａにおける各ライトボックス２１−１１〜２１−１４，２１−２１〜２１−２４，２１−３１〜２１−３４，２５−１〜２５−４からの射出光の放射輝度特性を表したものであり、ライトボックス２５−１〜２５−４から射出される階調光の輝度レベル比は、それぞれ、１００％（白レベル），３０％（グレイレベル），８％（グレイレベル），１．５％（黒レベル）となっている。これら図１７（Ａ）〜（Ｄ）によると、ライトボックス２５−１に対応する白レベルの輝度が他の色光の輝度と比較して最も高くなっているため、上記実施の形態で説明した色データ補正処理の際にカメラ１１１の絞りをこの白レベルの輝度に設定すれば、他の色光において色の飽和が回避されるようになる。
【００５９】
また、図１８に示した各ライトボックス２５−１〜２５−４からの射出光の発光スペクトル特性によると、ＮＤフィルタ２１６によって、各射出光の波長特性（色度）が維持されつつ、ＮＤフィルタ２１６の厚みや単位フィルタの層数に応じて輝度レベルが調整されていることが分かる。
【００６０】
また、図１９（Ａ）に示した色度図（ｘ−ｙ色度図）によると、各ライトボックス２５−１〜２５−４からの射出光の色度点Ｐ２は、図１９（Ｂ）に示した変形例（従来の顔料タイプの色票装置（マクベスチャート）に対応）におけるグレイスケール（白〜灰色〜黒）の色光の色度点Ｐ１０２とほぼ同位置となっていると共に、互いに輝度レベルが異なる各ライトボックス２５−１〜２５−４間でもほぼ同位置となっていることが分かる。
【００６１】
このようにして本変形例の色票装置２Ａでは、ＮＤフィルタ２１６（輝度調整フィルタ）を有するライトボックス２５を設けると共に、このＮＤフィルタ２１６によって、各ライトボックス２５−１〜２５−４から射出される階調光の輝度レベルを互いに異ならせるようにしたので、上記実施の形態における効果に加え、各ライトボックス２１を複数の色の色基準として機能させると共に、各ライトボックス２５−１〜２５−４を複数の輝度レベルの階調基準として機能させることができる。よって、上記実施の形態で説明したような色再現特性の評価に加え、白黒階調特性の評価にも適用することが可能となる。
【００６２】
また、ライトボックス２５の光源をＬＥＤにより構成したので、従来の色票装置（マクベスチャート）と比べ、グレイスケールのダイナミックレンジ（白〜灰色〜黒の輝度レベルの範囲）をより広くすることができる。よって、より適切な白黒階調特性の評価を行うことが可能となる。
【００６３】
なお、本変形例では、ライトボックス２５における光源として単色ＬＥＤ２１１（白色の単色ＬＥＤ）を用いた場合について説明したが、このような光源として例えば赤（Ｒ），緑（Ｇ），青（Ｂ）などの複数の単色ＬＥＤを用いると共に、これら複数の単色ＬＥＤからの色光を混合させて白色光を得るようにしてもよい。
【００６４】
また、本変形例では、ＮＤフィルタ２１６が、射出面Ｓ１における拡散板２１３上に配置されている場合について説明したが、ＮＤフィルタ２１６の配置位置はこれには限られず、ライトボックス２５における任意の位置に配置することが可能である。
【００６５】
また、本変形例では、ライトボックス２５が４つ設けられている（ライトボックス２５−１〜２５−４）場合について説明したが、ライトボックス２５の数はこれには限られない。ただし、本変形例の色票装置２Ａを白黒階調特性の評価に適用する場合を考慮すると、ライトボックス２５は３つ以上（３階調の輝度レベル以上）であることが好ましい。
【００６６】
また、本変形例では、ライトボックス２５がライトボックス２１の下方に配置されている場合について説明したが、ライトボックス２５の配置位置はこれには限られず、例えばライトボックス２５をライトボックス２１の上方に配置してもよい。
【００６７】
さらに、本変形例では、色票装置２Ａが、複数の色の色基準として機能するライトボックス２１と、複数の輝度レベルの階調基準として機能するライトボックス２５とから構成されている場合について説明したが、例えば、複数の輝度レベルの階調基準として機能するライトボックス２５単体で色票装置を構成するようにしてもよい。
【００６８】
以上、実施の形態および実施例を挙げて本発明を説明したが、本発明はこれらの実施の形態等に限定されるものではなく、種々の変形が可能である。例えば、上記実施の形態等では、単色光源が単色ＬＥＤである場合について説明したが、例えばレーザなどの他の単色光源を用いるようにしてもよい。
【００６９】
また、上記実施の形態等では、色基準として用いる複数の色が１２色の場合で説明したが、このような１２色の場合には限られず、また色の組み合わせについてもこの場合には限られない。なお、色基準として用いる複数の色としては、少なくとも、赤（Ｒ）、緑（Ｇ）、青（Ｂ）、シアン（Ｃ）、マゼンダ（Ｍ）および黄色（Ｙ）を含むようにするのが好ましい。このような６色以上の構成とすれば、加法混色で必要なＲＧＢおよび減法混色で必要なＣＭＹを最低限評価できる色票となるからである。
【図面の簡単な説明】
【００７０】
【図１】本発明の一実施の形態に係る色票装置を用いた色データ補正システムの全体構成を表すブロック図である。
【図２】図１に示した色票装置の要部構成を表す正面図および側面図である。
【図３】本実施の形態および従来の色票装置における各基準色の色度点を表す特性図である。
【図４】各基準色用の発光ダイオードのスペクトル特性の一例を表す特性図である。
【図５】図２に示したライトボックスの要部構成を表す斜視図である。
【図６】図２に示したライトボックスの要部構成を表す断面図である。
【図７】入力部における色データ補正処理の一例を表す流れ図である。
【図８】出力部における色データ補正処理の一例を表す流れ図である。
【図９】本実施の形態および比較例に係るライトボックスの作用を説明するための断面図である。
【図１０】本実施の形態および比較例に係るライトボックスからの射出光の輝度の面内ばらつきについて説明するための模式図である。
【図１１】実施例および比較例における射出光の測定条件について説明するための図である。
【図１２】本発明の変形例１に係る色票装置におけるライトボックスの要部構成例を表す断面図である。
【図１３】図１２に示した波長選択フィルタの波長選択透過特性を表す特性図である。
【図１４】変形例１に係る各基準色の色度点を表す特性図である。
【図１５】本発明の変形例２に係る色票装置の要部構成例を表す正面図である。
【図１６】変形例２に係るライトボックスの要部構成例を表す断面図である。
【図１７】変形例２に係る各ライトボックスからの射出光の輝度特性を表す特性図である。
【図１８】変形例２に係るライトボックスからの射出光のスペクトル特性を表す特性図である。
【図１９】変形例２および比較例における各基準色の色度点を表す特性図である。
【符号の説明】
【００７１】
１…色データ補正システム、１１…入力部、１１１…カメラ、１１２…色票データ記憶部、１１３…映像信号処理部、１２…出力部、１２１…カメラ、１２２…色票データ記憶部、１２３…映像信号処理部、２，２Ａ…色票装置、２０…本体部、２１，２１Ａ〜２１Ｃ，２４，２５，２５−１，２５−２，２５−３，２５−４…ライトボックス、２１０…筐体、２１１，２１１Ａ〜２１１Ｃ…単色ＬＥＤ、２１２…遮蔽板（ダイバープレート）、２１３…拡散板、２１４…反射シート、２１５…波長選択フィルタ、２１６…ＮＤフィルタ（輝度調整フィルタ）、２２Ａ〜２２Ｃ…定電流ダイオード、２３…直流電源、３０ｓ…ｓＲＧＢ色域、３０Ｃ…ＣＩＥ色域、３１Ｒ，３１Ｇ，３１Ｂ…色度点、Ｄ０…色票データ、Ｄ１，Ｄ３，Ｄ４…ＲＧＢデータ、Ｄ２…Ｙ’Ｃ’データ、Ｓ０…端面、Ｓ１…射出面、Ｌ１，Ｌ２…配線、Ｌout21…射出光、ＬＢ０，ＬＢ１…青色光スペクトル、ＬＧ０，ＬＧ１…緑色光スペクトル、ＬＲ０，ＬＲ１…赤色光スペクトル。
【図１】
2009031245.tif 000004
【図２】
2009031245.tif 000005
【図３】
2009031245.tif 000006
【図４】
2009031245.tif 000007
【図５】
2009031245.tif 000008
【図６】
2009031245.tif 000009
【図７】
2009031245.tif 000010
【図８】
2009031245.tif 000011
【図９】
2009031245.tif 000012
【図１０】
2009031245.tif 000013
【図１１】
2009031245.tif 000014
【図１２】
2009031245.tif 000015
【図１３】
2009031245.tif 000016
【図１４】
2009031245.tif 000017
【図１５】
2009031245.tif 000018
【図１６】
2009031245.tif 000019
【図１７】
2009031245.tif 000020
【図１８】
2009031245.tif 000021
【図１９】
2009031245.tif 000022